(57)【特許請求の範囲】
【請求項１】
ホストマシンに後段の接続先がなくなるまで常に分岐するツリー接続及びデイジーチェーン接続され、該ホストマシンからのビデオ信号を入力して後段へ出力するビデオ信号分配手段と、
前記ビデオ信号分配手段を介して供給される前記ホストマシンからのビデオ信号を表示する表示装置と、
前記表示装置に表示する前記ビデオ信号を選択する選択手段と
を備え、
前記選択手段は、前記ツリー接続されている前記ビデオ信号分配手段の最上流の前記ビデオ信号分配手段と接続され、前記デイジーチェーン接続されている前記ビデオ信号分配手段と全て接続されることを特徴とする表示制御装置。
【請求項２】
前記ホストマシンが出力しているビデオ信号に対応した表示データを前記表示装置にインデックス表示するインデックス手段を設け、
前記選択手段は、前記インデックス手段によってインデックス表示される情報の中から所定の表示データを選択する構成にしたことを特徴とする請求項１記載の表示制御装置。
【請求項３】
前記ビデオ信号分配手段は、前記ホストマシンからのビデオ信号を識別する画像識別手段を有し、該画像識別手段の識別結果に基づいて、前記ビデオ信号の出力先を制御する構成にしたことを特徴とする請求項１または請求項２記載の表示制御装置。
【請求項４】
ホストマシンに後段の接続先がなくなるまで常に分岐するツリー接続及びデイジーチェーン接続され、該ホストマシンからのビデオ信号を入力して後段へ出力するビデオ信号分配手段と、前記ビデオ信号分配手段を介して供給される前記ホストマシンからのビデオ信号を表示する表示装置とを備えた表示制御装置の表示制御方法であって、
前記ツリー接続されている前記ビデオ信号分配手段の最上流の前記ビデオ信号分配手段と接続され、前記デイジーチェーン接続されている前記ビデオ信号分配手段と全て接続される選択手段を設け、
前記選択手段を用いて、前記表示装置に表示する前記ビデオ信号を選択することを特徴とする表示制御方法。
【請求項５】
ホストマシンに後段の接続先がなくなるまで常に分岐するツリー接続及びデイジーチェーン接続され、該ホストマシンからのビデオ信号を入力して後段へ出力するビデオ信号分配手段と、前記ビデオ信号分配手段を介して供給される前記ホストマシンからのビデオ信号を表示する表示装置と、前記ツリー接続されている前記ビデオ信号分配手段の最上流の前記ビデオ信号分配手段と接続され、前記デイジーチェーン接続されている前記ビデオ信号分配手段と全て接続される選択手段とを備えた表示制御装置の表示制御方法をコンピュータに実行させる、コンピュータで読み取り可能なプログラムを記憶した記憶媒体であって、
前記表示制御方法は、前記選択手段を用いて、前記表示装置に表示する前記ビデオ信号を選択するステップを備えたことを特徴とする記憶媒体。
【発明の詳細な説明】
【０００１】
【発明の属する技術分野】
本発明は、例えば強誘電性液晶を用いた液晶表示器を複数接続し、各々の液晶表示器に画像を表示する表示制御装置及び表示制御方法、並びに前記表示制御方法を実現するためのプログラムを記憶した記憶媒体に関する。
【０００２】
【従来の技術】
従来、この種の分野の技術としては、メモリー効果を持つ強誘電性液晶を用いた複数台の液晶表示器（ＦＬＣＤ：Ｆｅｒｒｏｅｌｅｃｔｒｉｃ  ＬｉｑｕｉｄＣｒｙｓｔａｌ  Ｄｉｓｐｌａｙ）を１台のホストコンピュータに接続し、各々のＦＬＣＤに同一もしくは異なる画像を表示する表示制御システムが提案されている。
【０００３】
図５は、従来の表示制御システムの全体構成を示す模式図である。
【０００４】
同図において、１はホストコンピュータであり、２，３，４，５は分岐伝送ユニットである。１０，１１，１２，１３はＦＬＣＤであり、９００，９０１，９０２，９０３，９１０，９１１，９１２，９１３は伝送ケーブルである。ホストコンピュータ１からは、アドレスデータを先頭にした１６ビット画像データがパラレルで伝送ケーブル９００から出力される。
【０００５】
各分岐伝送ユニット２〜５は、前段から入力された１６ビット画像データを伝送ケーブル９０１〜９０３を通じてそのまま後段の分岐伝送ユニットへ出力する。さらに、各分岐伝送ユニット２〜５は、不図示のアドレス設定スイッチをそれぞれ備えており、その設定スイッチに予め設定されたアドレス値と１６ビット画像データの先頭に配置されたアドレスデータとを比較し、一致すれば各々分岐された伝送ケーブル９１０〜９１３に対して１６ビット画像データを出力する。
【０００６】
一方、各ＦＬＣＤ１０〜１３は、この１６ビット画像データに基づいて表示を行う。また、各ＦＬＣＤ１０〜１３はメモリー効果を有するため、新たに１６ビット画像データを受信し画像データが更新されるまでは、その直前の画像データを表示し続ける。
【０００７】
次に、ホストコンピュータ１から出力される１６ビット画像データとその先頭アドレスについて説明する。
【０００８】
図６は、１６ビット画像データの配列を示す信号シーケンス図である。
【０００９】
この１６ビット画像データは、ＤＡＴＡ０〜ＤＡＴＡ１５の１６本のデータと、同期信号であるＣＬＫ及びＡＨＤＬの計１８本の信号から成る。ＡＨＤＬ信号は、通常“Ｌ”レベルであるが、データの先頭のみ“Ｈ”レベルとなり、その時、ＤＡＴＡ０〜ＤＡＴＡ１５はアドレスデータを出力する。つまり、ＡＨＤＬ信号は、データの先頭を示すと共に、ＤＡＴＡ０〜ＤＡＴＡ１５が画像データではなくアドレスデータであることを示す信号でもある。
【００１０】
図７は、アドレスデータのフォーマット図である。
【００１１】
ＤＡＴＡ０〜ＤＡＴＡ１５に乗せられたアドレスデータの内、下位１１ビットはＦＬＣＤ１０〜１５の走査線のアドレスを示すものであり、上位５ビットがユニットＩＤであり、前述した設定スイッチの設定値と比較される。また、先頭のアドレスデータに続いて１水平走査分の画像データが配置されている。
【００１２】
各分岐伝送ユニット２〜５は、ＡＨＤＬ信号が“Ｈ”レベルとなったときにＤＡＴＡ０〜ＤＡＴＡ１５の上位５ビットのみを監視し、設定スイッチの設定値と一致しない場合にはＦＬＣＤへの分岐出力のＡＨＤＬ信号をマスクして“Ｌ”レベルを出力する。これを受けたＦＬＣＤは、ＡＨＤＬ信号が“Ｌ”レベルであるため、アドレスとは認識せず、その結果、描画している画像の更新は行われずＤＡＴＡ０〜ＤＡＴＡ１５にいかなるデータが乗っていようと無視される。
【００１３】
そして、各分岐伝送ユニット２〜５がＤＡＴＡ０〜ＤＡＴＡ１５の上位５ビットのアドレスを設定スイッチの設定値と一致していると見做した時は、ＦＬＣＤへの分岐出力のＡＨＤＬ信号をマスクせずそのまま出力する。ＦＬＣＤは、ＡＨＤＬ信号の“Ｈ”レベルを受けて画像データのスタートを認識し、描画画像の更新を行う。
【００１４】
【発明が解決しようとする課題】
しかしながら、上記従来の表示制御システムでは、ＦＬＣＤ１０〜１３に表示される画像データがホストコンピュータ１の制御の下で送られてくるので、ＦＬＣＤ１０〜１３の視聴者側で画像データを選択することができない、という問題があった。例えば、かかるシステムを会議システムに適用した場合に、視聴者は、ホストコンピュータのオペレータによって送られてくる画像データだけしか見ることができず、視聴者側で所望する資料を選択することができない。
【００１５】
本発明は上記従来の問題点に鑑み、ホストマシンから出力されたビデオ信号を複数台のディスプレイへ表示するマルチディスプレイシステムにおいて、各々の表示装置の視聴者側で所望する画像データを選択し、その選択画像を各々の表示装置に描画することができる表示制御装置、表示制御方法、及び記憶媒体を提供することを目的とする。
【００１６】
【課題を解決するための手段】
上記目的を達成するために、本発明の表示制御装置は、ホストマシンに後段の接続先がなくなるまで常に分岐するツリー接続及びデイジーチェーン接続され、該ホストマシンからのビデオ信号を入力して後段へ出力するビデオ信号分配手段と、前記ビデオ信号分配手段を介して供給される前記ホストマシンからのビデオ信号を表示する表示装置と、前記表示装置に表示する前記ビデオ信号を選択する選択手段とを備え、前記選択手段は、前記ツリー接続されている前記ビデオ信号分配手段の最上流の前記ビデオ信号分配手段と接続され、前記デイジーチェーン接続されている前記ビデオ信号分配手段と全て接続されることを特徴とする。
また、本発明の表示制御方法は、ホストマシンに後段の接続先がなくなるまで常に分岐するツリー接続及びデイジーチェーン接続され、該ホストマシンからのビデオ信号を入力して後段へ出力するビデオ信号分配手段と、前記ビデオ信号分配手段を介して供給される前記ホストマシンからのビデオ信号を表示する表示装置とを備えた表示制御装置の表示制御方法であって、前記ツリー接続されている前記ビデオ信号分配手段の最上流の前記ビデオ信号分配手段と接続され、前記デイジーチェーン接続されている前記ビデオ信号分配手段と全て接続される選択手段を設け、前記選択手段を用いて、前記表示装置に表示する前記ビデオ信号を選択することを特徴とする。
また、本発明の記憶媒体は、ホストマシンに後段の接続先がなくなるまで常に分岐するツリー接続及びデイジーチェーン接続され、該ホストマシンからのビデオ信号を入力して後段へ出力するビデオ信号分配手段と、前記ビデオ信号分配手段を介して供給される前記ホストマシンからのビデオ信号を表示する表示装置と、前記ツリー接続されている前記ビデオ信号分配手段の最上流の前記ビデオ信号分配手段と接続され、前記デイジーチェーン接続されている前記ビデオ信号分配手段と全て接続される選択手段とを備えた表示制御装置の表示制御方法をコンピュータに実行させる、コンピュータで読み取り可能なプログラムを記憶した記憶媒体であって、前記表示制御方法は、前記選択手段を用いて、前記表示装置に表示する前記ビデオ信号を選択するステップを備えたことを特徴とする。
【００４７】
【発明の実施の形態】
以下、図面を参照して本発明の実施の形態を説明する。
【００４８】
（第１実施形態）
図１は、本発明の第１実施形態に係る表示制御システムの全体構成を示す模式図であり、図５と共通の要素には同一の符号が付されている。
【００４９】
図中の１は、ホストコンピュータであり、１００，２００，３００，４００は分岐伝送ユニットである。また、１０，１１，１２，１３はＦＬＣＤであり、２０，２１，２２，２３は表示選択キーである。９００，９０１，９０２，９０３，９１０，９１１，９１２，９１３は表示制御データ伝送ケーブルであり、９２０，９２１，９２２，９２３は表示選択信号伝送ケーブルである。
【００５０】
ホストコンピュータ１からは、アドレスデータを先頭にした１６ビット表示データ及び制御信号がパラレルで伝送ケーブル９００から出力される。表示制御データのフォーマットは、図６及び図７を用いて従来例で説明したものと同じである。
【００５１】
ホストコンピュータ１から送られてくる表示データは、ＦＬＣＤ１０に示すように、ホストコンピュータ１が送信している表示データ全体のインデックス情報を含む画像データである。さらに、図示はしていないが、ＦＬＣＤ１１〜１３にも同様なインデックス情報を含む画像が表示されている。また、ホストコンピュータ１は、インデックスに表示されている全画像データを、そのインデックス番号に対応するアドレスデータを先頭にした画像データとして、順次送信している。
【００５２】
なお、本実施形態では、４段の分岐伝送ユニットとそれに対応する４台のＦＬＣＤが接続されているが、接続段数の制約は特にない。また、本実施形態では、インデックスデータが表示データに含まれている例を示しているが、これに限ったことではない。例えば、ホストコンピュータ１が送信している表示データのインデックス情報を紙メディアに掲載し、それをＦＬＣＤ視聴者に渡す形式でも良いし、ＦＬＣＤ視聴者全員が見ることが可能な掲示板等にインデックス情報を表示しても良い。即ち、何らかの手法でＦＬＣＤ視聴者に表示データ全体のインデックス情報を伝えることができればよいのである。
【００５３】
ＦＬＣＤ視聴者は、インデックス情報の中から所望の表示データに対応するインデックス番号を、表示選択キー２０より入力する。表示選択信号は、表示選択信号伝送ケーブル９２０より分岐伝送ユニット１００へ出力される。
【００５４】
分岐伝送ユニット１００は、表示制御データ９００と表示選択信号９２０を入力すると共に、次段の分岐伝送ユニット２００とＦＬＣＤ１０へ表示制御データを転送する。
【００５５】
図２は、分岐伝送ユニット１００の構成例を示すブロック図である。
【００５６】
同図において、９００，９０１，９１０は表示制御データ伝送ケーブルであり、差動信号で伝送され、１１０は差動信号をＴＴＬ信号に変換する差動レシーバであり、１２０はＴＴＬ信号を差動信号に変換する差動ドライバである。１８０，１８１，１８２はそれぞれ従来例の説明に対応しているＤＡＴＡ［１５：０］、ＡＨＤＬ信号、ＦＣＬＫ信号である。１８３は、ＤＡＴＡ［１５：１２］の分岐信号であり、１８４は分岐伝送ユニット１００に接続されているＦＬＣＤ１０へ出力するＡＨＤＬ’信号である。
【００５７】
また、９２０は表示選択信号であり、１３０，１３２は、１６ビットの画像データ信号ＤＡＴＡ［１５：０］をラッチするＤ−Ｆ／Ｆ（遅延型フリップフロップ）である。１３１，１３４はＡＨＤＬ信号をラッチするＤ−Ｆ／Ｆであり、１３３はＡＨＤＬ’信号を出力するＤ−Ｆ／Ｆである。１４０はイネーブル機能付きのコンパレータであり、１５０はＡＮＤ回路、１６０はＮＯＴ回路である。
【００５８】
ＦＣＬＫ信号１８２は、差動レシーバ１１０でＴＴＬ信号に変換され、Ｄ−Ｆ／Ｆ１３０，１３１とＮＯＴ回路１６０へ入力される。ＮＯＴ回路１６０で反転されたクロック＿ＦＣＬＫ信号１８４は、Ｄ−Ｆ／Ｆ１３２〜１３４と差動ドライバ１２０に入力される。差動ドライバ１２０に入力された＿ＦＣＬＫ信号１８４は、再び差動信号に変換され、ＦＬＣＤ１０と次段の分岐伝送ユニット２００へ入力される。
【００５９】
差動レシーバ１００でＴＴＬ変換されたＤＡＴＡ［１５：０］信号１８０とＡＨＤＬ信号１８１は、それぞれＤ−Ｆ／Ｆ１３０とＤ−Ｆ／Ｆ１３１に入力され、ＦＣＬＫ信号１８２でラッチされる。
【００６０】
Ｄ−Ｆ／Ｆ１３１でラッチされたＡＨＤＬ信号は、Ｄ−Ｆ／Ｆ１３４とＡＮＤ回路１５０へ入力され、Ｄ−Ｆ／Ｆ１３４では＿ＦＣＬＫ信号１８４でラッチされる。Ｄ−Ｆ／Ｆ１３４でラッチされたＡＨＤＬ信号は、差動ドライバ１２０で差動信号に変換され、次段の分岐伝送ユニット２００へそのまま出力される。
【００６１】
Ｄ−Ｆ／Ｆ１３０でラッチされた画像データＤＡＴＡ［１５：０］信号１８０は、再びＤ−Ｆ／Ｆ１３２に入力されると共に、その内のＤＡＴＡ［１５：１２］は、コンパレータ１４０にも入力される。Ｄ−Ｆ／Ｆ１３２でラッチされた１６ビットの画像データＤＡＴＡ［１５：０］信号は、差動ドライバ１２０で差動信号に変換され、ＦＬＣＤ１０と次段の分岐伝送ユニット２００へそのまま出力される。
【００６２】
コンパレータ１４０は、ＤＡＴＡ［１５：１２］信号１８３と表示選択信号９２０が等しいときに“Ｈ”を、それ以外は“Ｌ”を出力し、ＡＮＤ回路１５０へ入力される。
【００６３】
ＡＮＤ回路１５０の出力信号は、Ｄ−Ｆ／Ｆ１３３に入力され、＿ＦＣＬＫ信号１８４でラッチされる。Ｄ−Ｆ／Ｆ１３３の出力信号は、ＡＨＤＬ’信号１８４として、ドライバ１２０で差動信号に変換され、ＦＬＣＤ１０へ出力される。ＡＨＤＬ’信号１８４は、ＡＨＤＬ信号１８１と同様に通常“Ｌ”レベルであり、“Ｈ”レベルの時はデータの先頭を示すと同時に、それがアドレスデータであることも示す信号である。即ち、ＦＬＣＤ１０の視聴者の選択した画像データが、ホストコンピュータ１より送信されたときにＡＨＤＬ信号’１８４が“Ｈ”レベルとなり、データの始まりとアドレスデータを認識し、描画している画像データが更新される。それ以外の場合は、ＡＨＤＬ’信号１８４は“Ｌ”レベルであり、いかなるデータが転送されても無視され、表示内容は更新されない。
【００６４】
この様に、次段の分岐伝送ユニット２００へ出力する表示制御データ９０１は、入力された表示制御データ９００そのものである。一方、ＦＬＣＤ１０へ出力する表示制御データ９１０は、表示選択キー２０で選択された画像データがホストコンピュータ１から送信されたときのみ、入力された表示制御データ９０１を出力し、それ以外の時はＡＨＤＬ信号だけについて“Ｌ”レベルにマスキングした信号を出力している。
【００６５】
分岐伝送ユニット２００，３００，４００においても、分岐伝送ユニット１００と同様の動作及び構成である。
【００６６】
これまで説明したのが分岐伝送ユニット１００を中心とした１段の表示制御システムの動作であり、同様の分岐伝送ユニット２００，３００，４００を図１に示したシステム構成例のようにデイジーチェーンで接続すれば、ＦＬＣＤ１０〜１３によるマルチディスプレイシステムが構成されるようになる。
【００６７】
このように本実施形態では、構成がシンプルで安価な分岐伝送ユニットをデイジーチェーン接続するようにしたので、マルチディスプレイシステムを低コストで容易に構成することができる。さらに、表示選択キーを設けたので、各々のＦＬＣＤの視聴者側で所望する画像データを選択し、その選択画像を各々のＦＬＣＤに描画することが可能になる。
【００６８】
（第２実施形態）
第２実施形態では、多数のＦＬＣＤマルチディスプレイシステムを少ない分岐伝送ユニットを用いて実現する例を説明する。
【００６９】
図３は、本発明の第２実施形態に係る表示制御システムの全体構成を示す模式図であり、図１と共通の要素には同一の符号が付されている。
【００７０】
同図において、１はホストコンピュータであり、１００〜７００は分岐伝送ユニットである。１０〜１７はＦＬＣＤであり、９００〜９０７と９１０〜９１６は、表示制御データ伝送ケーブルである。
【００７１】
上記各構成における動作は、上記第１実施形態と同様であるので、ここでの説明は割愛する。
【００７２】
ホストコンピュータ１より出力された表示制御データ９００は、分岐伝送ユニット１００に入力される。分岐伝送ユニット１００の２つの出力には、分岐伝送ユニット２００と分岐伝送ユニット５００がそれぞれ接続されている。同様に分岐伝送ユニット２００の２つの出力には分岐伝送ユニット３００と分岐伝送ユニット４００が、また分岐伝送ユニット５００の２つの出力には分岐伝送ユニット６００と分岐伝送ユニット７００がそれぞれ接続されている。
【００７３】
一方、分岐伝送ユニット３００の２つの出力には、ＦＬＣＤ１０と１１がそれぞれ接続され、同様に分岐伝送ユニット４００にはＦＬＣＤ１２と１３が、また分岐伝送ユニット６００にはＦＬＣＤ１４と１５が、さらに分岐伝送ユニット７００にはＦＬＣＤ１６と１７がそれぞれ接続されている。
【００７４】
また、図示はしていないが各分岐伝送ユニットにある表示選択信号には同じ番号が設定されており、さらにホストコンピュータ１が送信する表示制御データのアドレスは、それに一致したものだけが出力される。
【００７５】
このような設定により、各分岐伝送ユニットの２つの出力端子には同じ表示制御データが出力されるようになり、どちらの出力端子に分岐伝送ユニットあるいはＦＬＣＤを接続しても表示制御データ転送ケーブル上のデータは等しくなる。
上述のように本実施形態では、ホストコンピュータ１に分岐伝送ユニットを複数台接続したツリー接続の構成となる。これにより、分岐伝送ユニット１００〜７００の７台で、ＦＬＣＤ１０〜１７の８台に同じ画像が表示できるようになり、上記第１実施形態のデイジーチェーン接続の構成と比較すると、１台少ない分岐伝送ユニットで表示できるようになる。
【００７６】
（第３実施形態）
本実施形態では、上記第１実施形態と第２実施形態を組み合わせた構成を説明する。
【００７７】
図４は、本発明の第３実施形態に係る表示制御システムの全体構成を示す模式図であり、図１と共通の要素には同一の符号が付されている。
【００７８】
同図において、１はホストコンピュータであり、１００〜８００は分岐伝送ユニットである。１０〜１７はＦＬＣＤであり、２０〜２４は表示選択キーである。９００〜９０７と９１０〜９１７は表示制御データ伝送ケーブルである。９２０〜９２４は表示選択信号伝送ケーブルである。
【００７９】
上記各構成における動作は上記第１実施形態と同様であるので、ここでの説明は割愛する。また、ＦＬＣＤ１０〜１３までのシステム構成も第１実施形態と同様なので割愛し、ここではＦＬＣＤ１４〜１７のシステムについて説明する。
【００８０】
ＦＬＣＤ１４と１５は、分岐伝送ユニット７００の２つの出力端子にそれぞれ接続し、ＦＬＣＤ１６と１７も同様に分岐伝送ユニット８００の２つの出力端子にそれぞれ接続する。一方、分岐伝送ユニット７００と８００は、分岐伝送ユニット６００の２つの出力端子にそれぞれ接続する。
【００８１】
このとき、図示はしてないが、分岐伝送ユニット６００〜８００の表示選択信号は、表示選択キー２４と同じものが設定されている。よって、分岐伝送ユニット５００から出力される表示制御データ９１４と同じデータが、分岐伝送ユニット６００〜８００の２つの出力端子から出力され、ＦＬＣＤ１４〜１７には同じ画像が表示されるようになる。
【００８２】
即ち、本システムでは、ＦＬＣＤ１０〜ＦＬＣＤ１３までは各表示選択キー２０〜２３で選択された画像が表示されるようになり、一方、ＦＬＣＤ１４〜ＦＬＣＤ１７には表示選択キー２４で選択された同一画像が表示されるようになる。このように本実施形態では、分岐伝送ユニットをデイジーチェーン接続及びツリー接続するようにしたので、視聴者側の利便性を考慮して適格にマルチディスプレイシステムを構成することができる。
【００８３】
本発明は、上述した実施形態の装置に限定されず、複数の機器から構成されるシステムに適用しても、ひとつの機器から成る装置に適用してもよい。前述したを実施形態の機能を実現するソフトウエアのプログラムコードを記憶した記憶媒体も、システムあるいは装置に供給し、そのシステムるいは装置もコンピュータ（またはＣＰＵやＭＰＵ）が記憶媒体に格納されたプログラムコードを読み出し実行することによっても、完成されることは言うまでもない。
【００８４】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリーカード、ＲＯＭを用いることができる。
【００８５】
また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００８６】
さらに、記憶媒体から読み出されたプログラムコードが、コンピュータに挿入された機能拡張ボードやコンピュータに接続された機能拡張ユニットに備わるメモリに書き込まれた後、次のプログラムコードを指示に基づき、その拡張機能を拡張ボードや機能を拡張ユニットに備わるＣＰＵなどが実際の処理に行って実際の処理の一部または全部を行い、その処理によって前述した実施形態の機能が実現される場合も含まれることは言うまでもない。
【００８７】
【発明の効果】
本発明によれば、各々の表示装置の視聴者側で所望する画像データを選択し、その選択画像を各々の表示装置に描画することが可能になる。さらに、構成がシンプルで安価なビデオ信号分配手段をデイジーチェーン接続及びツリー接続するようにしたので、視聴者側の利便性を考慮して適格にマルチディスプレイシステムを構成することができる。
【図面の簡単な説明】
【図１】本発明の第１実施形態に係る表示制御システムの全体構成を示す模式図である。
【図２】分岐伝送ユニット１００の構成例を示すブロック図である。
【図３】本発明の第２実施形態に係る表示制御システムの全体構成を示す模式図である。
【図４】本発明の第３実施形態に係る表示制御システムの全体構成を示す模式図である。
【図５】従来の表示制御システムの全体構成を示す模式図である。
【図６】１６ビット画像データの配列を示す信号シーケンス図である。
【図７】アドレスデータのフォーマット図である。
【符号の説明】
１  ホストコンピュータ
１００〜８００  分岐伝送ユニット
１０〜１７  ＦＬＣＤ
２０〜２４  表示選択キー
９００〜９０７，９１０〜９１７  表示制御データ伝送ケーブル
９２０〜９２４  表示選択信号伝送ケーブル
【図１】
0004065471.tif 000002
【図２】
0004065471.tif 000003
【図３】
0004065471.tif 000004
【図４】
0004065471.tif 000005
【図５】
0004065471.tif 000006
【図６】
0004065471.tif 000007
【図７】
0004065471.tif 000008